(57)【要約】    【課題】ポスター、写真、ポストカード等の掲示物を壁面に固定すると共に、掲示物に直接光を当ててライトアップすることで暗い場所でも掲示物が視認可能となる、小形で軽量な照明付き留め具を提案する。    【解決手段】照明部材を配設する円筒状体の上部内周壁に凹み状の溝を周設し、該溝に天蓋を有する円筒状のキャップの下端周囲に形設したフランジを嵌め合わせ、円筒状体の上部周壁に小孔を穿設し、円筒状体の下部周壁に方形状の開口部を成形し、該開口部に開閉蓋を取り付け、円筒状体の底部外面に円形状の窪みを穿設し、該窪みに永久磁石を埋設し、円筒状体の内部中央にプリント基板を取り付け、該プリント基板の上面にオルタネイトスイッチと高輝度ＬＥＤを実装し、該ＬＥＤの発光部の頭部を前記小孔に挿着し、円筒状体の内部の底面上に２個のボタン型電池を配置し、該ボタン型電池と接触する電極部材をプリント基板の底面に取り付けている。    【選択図】図１
2012047765.tif 000002
【特許請求の範囲】
【請求項１】
円柱形の筐体から成る外観で、該筐体の円形底面に磁石を有し、該磁石で掲示物を間に挟んで金属製の壁面に磁力吸着することで、掲示物に穴を開けることなく壁面に固定することができ、また、内部に光源である高輝度ＬＥＤと、光源のオンオフを行うスイッチと、２個のボタン電池を収納し、前記筐体の側面下部から前記ボタン電池を収納する開口部に電池蓋を設けた、小形で軽量な照明装置であり、前記ＬＥＤは発光部の頭部が前記筐体の側面上部から外向きに露出していることにより、掲示物に直接光を当ててライトアップすることを特徴とする照明付き留め具。
【請求項２】
前記筐体は、T字状で頂部が平らな金属製の画鋲盤を壁面に刺して固定した後に、前記筐体底面の磁石で掲示物を間に挟んで前記画鋲盤と着脱可能に磁力連結することで、木質の壁面にも掲示物に穴を開けることなく固定できることを特徴とする、請求項１記載の照明付き留め具。
【請求項３】
前記筐体は、頂部に円形の金属板が埋め込まれた吸盤を壁面に吸着固定した後に、前記筐体底面の磁石で掲示物を間に挟んで前記吸盤と着脱可能に磁力連結することで、ガラスやタイル等の平滑な壁面にも掲示物に穴を開けることなく固定できることを特徴とする、請求項１記載の照明付き留め具。
【請求項４】
前記筐体は、底面に両面テープが付いた円盤状で金属製の両面テープ盤を壁面に貼着固定した後に、前記筐体底面の磁石で掲示物を間に挟んで前記両面テープ盤と着脱可能に磁力連結することで、幅広い種類の壁面に掲示物に穴を開けることなく固定できることを特徴とする、請求項１記載の照明付き留め具。
【発明の詳細な説明】
【技術分野】
【０００１】
本発明は、ポスター、写真、ポストカード等の掲示物を壁面に固定する手段と、掲示物をライトアップする照明機能を備えた、小形で軽量な照明付き留め具に関する。
【背景技術】
【０００２】
従来、画鋲や磁石等の留め具は、掲示物を壁面に固定する目的の小道具であり、主に利便性や装飾性において工夫がなされてきた。
【０００３】
利便性においては、掲示物に穴を開けることなく繰り返し壁面に固定できる、クリップと画鋲が一体になった留め具が提案されている（例えば、特許文献１及び特許文献２参照）。
【０００４】
また、掲示物に穴を開けることなく繰り返し壁に磁力で固定できる、磁石式の留め具が提案されている（例えば、特許文献３及び特許文献４参照）。
【０００５】
上述した装飾性においては、明るい所で光りを蓄え暗闇で光る畜光材を使った画鋲が市販されている（例えば、非特許文献１参照）。
【０００６】
また、ＬＥＤとスイッチとボタン電池を内蔵した発光する画鋲が市販されている（例えば、非特許文献２参照）。
【０００７】
また、ポスターや美術品等の掲示物を展示するＬＥＤ照明付き展示装置が提案されている（例えば、特許文献５参照）。
【先行技術文献】
【特許文献】
【０００８】
【特許文献１】特許公開２００８−１１９８５６号公報（図１〜図７）
【特許文献２】特許公開２００６−１２６２号公報（図１，図２）
【特許文献３】実用新案登録第３０６７４４９号公報（図１〜図７）
【特許文献４】実用新案登録第３１１３８３１号公報（図１，図２）
【特許文献５】特許公開２００９−２８８７３８号公報（図１〜図３）
【非特許文献１】ベロス株式会社による「光るんですダルマ画鋲」、〔平成２２年８月２１日検索〕、インターネット＜URL；http://www.a-ssist.com/kigyo/be-001/＞
【非特許文献２】株式会社ドリームズによる「プッシュピンライト」、〔平成２２年８月２１日検索〕、インターネット＜URL；http://www.dreams6.com/products/variety/pushpinlight.html＞
【発明の概要】
【発明が解決しようとする課題】
【０００９】
従来の画鋲や磁石等の留め具は、掲示物を壁面に固定するのが主な目的であり、掲示物に穴を開けることなく壁面に固定できるものはあるが、掲示物をライトアップして暗い場所でも視認できるような照明機能を設けたものはない。
【００１０】
例えば、特許文献１と特許文献２に開示されたクリップと画鋲が一体になった留め具では、掲示物に穴を開けることなく壁面に固定できるが、掲示物をライトアップする照明装置を備えておらず、クリップの構造上、照明装置を備えられるスペースはなく小形化も難しい。
【００１１】
また、特許文献３と特許文献４に開示された磁石式の留め具では、掲示物に穴を開けることなく壁面に固定できるが、掲示物をライトアップする照明装置を備えておらず、仮に照明装置を備えたとしても、ＬＥＤの発光部が低位置で壁面寄りになってしまい照射範囲が狭まってしまう。
【００１２】
また、非特許文献１の畜光材を使った画鋲では、明るい場所での畜光に時間を要し、発光時間も約４〜５時間程度と限りがあり、暗い場所でも掲示物が視認できるような明るさはない。
【００１３】
また、非特許文献２のＬＥＤとスイッチとボタン電池を内蔵した発光する画鋲では、内部のＬＥＤで筐体頭部のスイッチボタンが発光するが、正面に拡散する発光色を楽しむ装飾目的のものであり、暗い場所でも掲示物が視認できるような明るさはない。
【００１４】
また、特許文献５に開示されたＬＥＤ照明付き展示装置では、掲示物を電磁誘導によって磁気吸着させる受動部と給電部があり、給電部は外部電源を必要とする大掛かりなパネル体となってしまい、また、壁面に装着するには耐荷重性を要する留め具が別途必要である。
【００１５】
本発明の目的は、このような複数の課題を解決して、掲示物に穴を開けることなく壁面に固定する手段と、掲示物をライトアップして暗い場所でも視認できるような照明機能を設けた、小形で軽量な照明付き留め具を提供することにある。
【課題を解決するための手段】
【００１６】
上記目的を達成するために、本発明に係る照明付き留め具は、円柱形の筐体から成る外観で、該筐体の円形底面に磁石を有し、該磁石で掲示物を間に挟んで金属製の壁面に磁力吸着することで、掲示物に穴を開けることなく壁面に固定することができ、また、内部に光源である高輝度ＬＥＤと、光源のオンオフを行うスイッチと、２個のボタン電池を収納し、前記筐体の側面下部から前記ボタン電池を収納する開口部に電池蓋を設けた、小形で軽量な照明装置であり、前記ＬＥＤは発光部の頭部が前記筐体の側面上部から外向きに露出していることにより、掲示物に直接光を当ててライトアップすることを特徴とする。
【００１７】
また、本発明においては、必要に応じて上記手段に加え、T字状で頂部が平らな金属製の画鋲盤を壁面に刺して固定した後に、前記筐体底面の磁石で掲示物を間に挟んで前記画鋲盤と着脱可能に磁力連結することで、木質の壁面にも掲示物に穴を開けることなく固定できることを特徴とする。
【００１８】
また、本発明においては、必要に応じて上記手段に加え、頂部に円形の金属板が埋め込まれた吸盤を壁面に吸着固定した後に、前記筐体底面の磁石で掲示物を間に挟んで前記吸盤と着脱可能に磁力連結することで、ガラスやタイル等の平滑な壁面にも掲示物に穴を開けることなく固定できることを特徴とする。
【００１９】
また、本発明においては、必要に応じて上記手段に加え、底面に両面テープが付いた円盤状で金属製の両面テープ盤を壁面に貼着固定した後に、前記筐体底面の磁石で掲示物を間に挟んで前記両面テープ盤と着脱可能に磁力連結することで、幅広い種類の壁面に掲示物に穴を開けることなく固定できることを特徴とする。
【発明の効果】
【００２０】
以上説明したように、本発明によれば、磁石、画鋲、吸盤、両面テープの４つの手段から壁面の条件に合った留め具を選択して、掲示物に穴を開けることなく壁面に固定することができる。
【００２１】
また、掲示物に直接光を当てて暗い場所でも掲示物が視認できるようなり、部屋のインテリアとしてだけでなく、店頭商品やイベント展示品等も手軽にライトアップできる即席照明にもなる。
【図面の簡単な説明】
【００２２】
【図１】本発明の外観を示す斜視図である。
【図２】本発明の構造を示す側面の断面図である。
【図３】本発明の実施例１を示す側面の断面図である。
【図４】本発明の実施例２を示す側面の断面図である。
【図５】本発明の実施例３を示す側面の断面図である。
【図６】本発明の実施例４を示す側面の断面図である。
【図７】本発明を壁面に固定して点灯した際の斜視図である。
【発明を実施するための形態】
【００２３】
以下、本発明に係る照明付き留め具を図面とともに説明する。
【実施例１】
【００２４】
図１と図２において、照明付き留め具の外観上の構成について説明する。１は円柱形の筐体で、該筐体１は円形底面に丸型の磁石２を有しており、さらにボタン部３と、ＬＥＤ８と、電池蓋４で構成されている。
【００２５】
図２において、照明付き留め具の内部の構成について説明する。８は光源となるＬＥＤで、光源のオンオフを行うスイッチ９と、電源となる２個のボタン電池１０と、ＰＣＢ基盤１１と、＋端子１２と、−端子１３と、リード線１４で構成されている。
【００２６】
前記ＬＥＤ８は、高輝度で白色の発光ダイオードであり、定格電流値が５ｍＡ〜２０ｍＡ程度で順方向電圧が２．８Ｖ〜３．４Ｖの性能を有するものが最適とし、アノードとカソードがＰＣＢ基盤１１上に接地され、ＬＥＤ８の発光部の頭部が筐体１の側面上部から外向きに露出して設置されている。
【００２７】
前記スイッチ９は、オルタネイト動作をするもので、端子がＰＣＢ基盤上１１に接地され、また、筐体１の天面に接続され上下に稼動するボタン部３に覆われ、該ボタン部３の内側にスイッチ９の頂部が接触していることにより、ボタン部３の押し圧操作に連動してスイッチ９も上下動し、光源のオンオフを行う。
【００２８】
前記ボタン電池１０は、１個あたりの定格出力電圧が１．５Ｖで、例えば直径７．９ミリメートル、厚み３．６ミリメートルのＬＲ４１等や、直径１１．６ミリメートル、厚み５．４ミリメートルのＬＲ４４等のような小形なものが適している。前記ボタン電池１０は、２個直列に重なっており、筐体１内のＰＣＢ基盤１１の下で金属板の＋端子１２と−端子１３の間に挟持されており、筐体１側面下部の開口部を覆う電池蓋４を外して出し入れを行う。
【００２９】
前記ＰＣＢ基盤１１は、該ＰＣＢ基盤１１底面に＋端子１２を接地し、該＋端子１２をＰＣＢ基盤１１上のスイッチ９の端子に配線し、該スイッチ９のもう片方の端子をＰＣＢ基盤１１上のＬＥＤ８のアノードに配線し、該ＬＥＤ８のカソードをＰＣＢ基盤１１底面から伸びたリード線１４を介して−端子１３に配線する。
【００３０】
なお、必要であれば、前記ＰＣＢ基盤１１上のスイッチ９とＬＥＤ８のアノードの間に、電流制限用の抵抗器を直列に入れて順方向電流を調整しても良い。
【００３１】
図３と図７において、照明付き留め具を壁面に固定してＬＥＤを点灯する方法について説明する。筐体１底面の磁石２で掲示物１７を間に挟んで、金属製の壁面１８に磁力で吸着し、ＬＥＤ８の発光部が下に向く位置で筐体１を固定する。ボタン部３の押し圧操作でスイッチ９をオンにしてＬＥＤ８を点灯すると、照明は壁面の掲示物に向かって照射される。
【実施例２】
【００３２】
図４と図７において、照明付き留め具を画鋲によって壁面に固定してＬＥＤを点灯する方法について説明する。T字状で頂部が平らな金属製の画鋲盤５を壁面に刺して固定した後に、筐体１底面の磁石２で掲示物１７を間に挟んで、前記画鋲盤５と着脱可能に磁力連結することで壁面に固定する。ボタン部３の押し圧操作でスイッチ９をオンにしてＬＥＤ８を点灯すると、照明は壁面の掲示物に向かって照射される。
【実施例３】
【００３３】
図５と図７において、照明付き留め具を吸盤によって壁面に固定してＬＥＤを点灯する方法について説明する。頂部に円形の金属板１５が埋め込まれた吸盤６を壁面に吸着固定した後に、筐体１底面の磁石２で掲示物１７を間に挟んで、前記吸盤６と着脱可能に磁力連結することで壁面に固定する。ボタン部３の押し圧操作でスイッチ９をオンにしてＬＥＤ８を点灯すると、照明は壁面の掲示物に向かって照射される。
【実施例４】
【００３４】
図６と図７において、照明付き留め具を両面テープによって壁面に固定してＬＥＤを点灯する方法について説明する。底面に両面テープが付いた円盤状で金属製の両面テープ盤７を壁面に貼着固定した後に、筐体１底面の磁石２で掲示物１７を間に挟んで、前記両面テープ盤７と着脱可能に磁力連結することで壁面に固定する。ボタン部３の押し圧操作でスイッチ９をオンにしてＬＥＤ８を点灯すると、照明は壁面の掲示物に向かって照射される。
【符号の説明】
【００３５】
１    筐体
２    磁石
３    ボタン部
４    電池蓋
５    画鋲盤
６    吸盤
７    両面テープ盤
８    ＬＥＤ
９    スイッチ
１０    ボタン電池
１１    ＰＣＢ基盤
１２    ＋端子
１３    −端子
１４    リード線
１５    金属板
１６    両面テープ
【図１】
2012047765.tif 000003
【図２】
2012047765.tif 000004
【図３】
2012047765.tif 000005
【図４】
2012047765.tif 000006
【図５】
2012047765.tif 000007
【図６】
2012047765.tif 000008
【図７】
2012047765.tif 000009
【手続補正書】
【提出日】平成22年10月23日(2010.10.23)
【手続補正１】
【補正対象書類名】特許請求の範囲
【補正対象項目名】全文
【補正方法】変更
【補正の内容】
【特許請求の範囲】
【請求項１】
照明部材を備えた留め具において、照明部材を配設する円筒状体の上部内周壁に段差を有する凹み状の溝を周設し、該溝に天蓋を有する円筒状のキャップの下端周囲に形設した外向きのフランジを嵌め合わせ、円筒状体の上部周壁に小孔を穿設し、円筒状体の下部周壁に方形状の開口部を成形し、該開口部に開閉蓋を取り付け、円筒状体の底部外面に円形状の窪みを穿設し、該窪みに丸型の永久磁石を埋設し、円筒状体の内部中央にプリント基板を取り付け、該プリント基板の上面に押しボタンを有するオルタネイト式のスイッチを実装し、前記押しボタンの頂部を前記キャップの天蓋内面に接触させて、前記プリント基板の上面に高輝度ＬＥＤを実装し、該ＬＥＤの発光部の頭部を前記小孔に挿着し、円筒状体の内部の底面上に２個のボタン型電池を直列に配置し、該ボタン型電池と接触する電極部材をプリント基板の底面に取り付けていることを特徴とする照明付き留め具。
【請求項２】
円筒状体の底部の前記永久磁石は、T字状で頂部が平らな金属製の画鋲盤と着脱自在に磁力連結することを特徴とする、請求項１記載の照明付き留め具。
【請求項３】
円筒状体の底部の前記永久磁石は、頂部に円形の金属板が埋め込まれた吸盤と着脱自在に磁力連結することを特徴とする、請求項１記載の照明付き留め具。
【請求項４】
円筒状体の底部の前記永久磁石は、底面に両面テープを設けた円盤状で金属製の両面テープ盤と着脱自在に磁力連結することを特徴とする、請求項１記載の照明付き留め具。
【手続補正２】
【補正対象書類名】明細書
【補正対象項目名】全文
【補正方法】変更
【補正の内容】
【発明の詳細な説明】
【技術分野】
【０００１】
本発明は、ポスター、写真、ポストカード等の掲示物を壁面に固定すると共に、掲示物に直接光を当ててライトアップすることで暗い場所でも視認可能となる、小形で軽量な照明付き留め具に関する。
【背景技術】
【０００２】
従来、画鋲や磁石等の留め具は、掲示物を壁面に固定する目的の小道具であり、主に利便性や装飾性において工夫がなされてきた。
【０００３】
利便性においては、掲示物を繰り返し壁面に固定できるクリップと画鋲が一体になった留め具が提案されている（例えば、特許文献１及び特許文献２参照）。
【０００４】
また、掲示物を繰り返し壁面に固定できる磁石と画鋲や両面テープを用いた分離式の留め具も提案されている（例えば、特許文献３及び特許文献４参照）。
【０００５】
上述した装飾性においては、明るい所で光りを蓄え暗闇で光る畜光材を使った画鋲が市販されている（例えば、非特許文献１参照）。
【０００６】
また、ＬＥＤと押しボタンスイッチとボタン型の電池を内蔵した発光する円筒状体の画鋲が市販されている（例えば、非特許文献２参照）。
【０００７】
また、ポスターや美術品等の掲示物を展示するＬＥＤ照明付き展示装置が提案されている（例えば、特許文献５参照）。
【先行技術文献】
【特許文献】
【０００８】
【特許文献１】特許公開２００８−１１９８５６号公報（図１〜図７）
【特許文献２】特許公開２００６−１２６２号公報（図１，図２）
【特許文献３】実用新案登録第３０６７４４９号公報（図１〜図７）
【特許文献４】実用新案登録第３１１３８３１号公報（図１，図２）
【特許文献５】特許公開２００９−２８８７３８号公報（図１〜図３）
【非特許文献１】ベロス株式会社による「光るんですダルマ画鋲」、〔平成２２年８月２１日検索〕、インターネット＜URL；http://www.a-ssist.com/kigyo/be-001/＞
【非特許文献２】株式会社ドリームズによる「プッシュピンライト」、〔平成２２年８月２１日検索〕、インターネット＜URL；http://www.dreams6.com/products/variety/pushpinlight.html＞
【発明の概要】
【発明が解決しようとする課題】
【０００９】
従来の画鋲や磁石等の留め具は、掲示物を壁面に固定するのが主な目的であるが、掲示物に直接光を当ててライトアップすることで暗い場所でも視認可能となる照明機能を備えたものはない。
【００１０】
例えば、特許文献１と特許文献２に開示されたクリップと画鋲が一体になった留め具では、掲示物をライトアップする照明装置を備えておらず、クリップの構造上、照明装置を備えられるスペースはなく小形化も難しい。
【００１１】
また、特許文献３と特許文献４に開示された分離式の留め具でも、掲示物をライトアップする照明装置を備えておらず、仮に照明装置を磁石側に備えたとしても、ＬＥＤの発光部が低位置で壁面寄りになってしまい照射範囲が狭まってしまう。
【００１２】
また、非特許文献１の畜光材を使った画鋲では、明るい場所での畜光に時間を要し、発光時間も約４〜５時間程度と限りがあり、暗い場所でも掲示物が視認できるような明るさはない。
【００１３】
また、非特許文献２の照明部材を内蔵した発光する円筒状体の画鋲では、内部のＬＥＤで円筒状体の頭部の押しボタンが発光するが、正面に拡散する発光色を楽しむ装飾目的のものであり、暗い場所でも掲示物が視認できるような明るさはない。
【００１４】
また、特許文献５に開示されたＬＥＤ照明付き展示装置では、掲示物を電磁誘導によって磁気吸着させる受動部からなる照明体と給電部からなるパネル体があり、円筒状体の照明体は上部周面に露出したＬＥＤの発光部が掲示物に直接光を当ててライトアップするが、パネル体は外部電源を必要とする大掛かりな装置となってしまい、壁面に装着するには耐荷重性を要する留め具が別途必要である。
【００１５】
本発明の目的は、このような複数の課題を解決して、掲示物を壁面に固定すると共に、掲示物に直接光を当ててライトアップすることで暗い場所でも視認可能となる、小形で軽量な照明付き留め具を提供することにある。
【課題を解決するための手段】
【００１６】
上記目的を達成するために、本発明に係る照明付き留め具は、照明部材を配設する円筒状体の上部内周壁に段差を有する凹み状の溝を周設し、該溝に天蓋を有する円筒状のキャップの下端周囲に形設した外向きのフランジを嵌め合わせ、円筒状体の上部周壁に小孔を穿設し、円筒状体の下部周壁に方形状の開口部を成形し、該開口部に開閉蓋を取り付け、円筒状体の底部外面に円形状の窪みを穿設し、該窪みに丸型の永久磁石を埋設し、円筒状体の内部中央にプリント基板を取り付け、該プリント基板の上面に押しボタンを有するオルタネイト式のスイッチを実装し、前記押しボタンの頂部を前記キャップの天蓋内面に接触させて、前記プリント基板の上面に高輝度ＬＥＤを実装し、該ＬＥＤの発光部の頭部を前記小孔に挿着し、円筒状体の内部の底面上に２個のボタン型電池を直列に配置し、該ボタン型電池と接触する電極部材をプリント基板の底面に取り付けていることを特徴とする。
【００１７】
また、本発明においては、必要に応じて上記手段に加え、円筒状体の底部の前記永久磁石に、T字状で頂部が平らな金属製の画鋲盤を着脱自在に磁力連結することを特徴とする。
【００１８】
また、本発明においては、必要に応じて上記手段に加え、円筒状体の底部の前記永久磁石に、頂部に円形の金属板が埋め込まれた吸盤を着脱自在に磁力連結することを特徴とする。
【００１９】
また、本発明においては、必要に応じて上記手段に加え、円筒状体の底部の前記永久磁石に、底面に両面テープを設けた円盤状で金属製の両面テープ盤を着脱自在に磁力連結することを特徴とする。
【発明の効果】
【００２０】
以上説明したように本発明によれば、円筒状体を掲示物と共に壁面に固定し、壁面から適宜離れた位置にあるＬＥＤの発光部を掲示物の中心側に向け、キャップの押し圧操作でスイッチをオンにしてＬＥＤを点灯することにより、掲示物を上方から広範囲に照射して暗い場所でも視認可能となる、小形で軽量な照明付き留め具を提供することができる。
【図面の簡単な説明】
【００２１】
【図１】本発明の外観を示す斜視図である。
【図２】図１の切断面線Ａ−Ａから見た側面の断面図である。
【図３】本発明の実施例１を示す側面の断面図である。
【図４】本発明の実施例２を示す側面の断面図である。
【図５】本発明の実施例３を示す側面の断面図である。
【図６】本発明の実施例４を示す側面の断面図である。
【図７】本発明を壁面に固定して点灯した際の斜視図である。
【発明を実施するための形態】
【００２２】
以下、本発明に係る照明付き留め具を図面とともに説明する。
【実施例１】
【００２３】
図１と図２において、照明付き留め具の構成について説明する。照明部材を配設する円筒状体１の上部内周壁に段差を有する凹み状の溝２を周設し、該溝２に天蓋を有する円筒状のキャップ３の下端周囲に形設した外向きのフランジ４を上下動可能に嵌め合わせ、円筒状体１の上部周壁に後述するＬＥＤ１２の発光部の径寸法に略等しい小孔５を穿設し、円筒状体１の下部周壁に方形状の開口部６を成形し、該開口部６に開閉蓋７を取り付け、円筒状体１の底部外面に円形状の窪み８を穿設し、該窪み８に丸型の永久磁石９を埋設する。
【００２４】
図２において、照明付き留め具に備えた照明部材について説明する。円筒状体１の内部中央にプリント基板１０を取り付け、該プリント基板１０の上面に押しボタン１１ｄを有するスイッチ１１と高輝度ＬＥＤ１２を実装し、円筒状体１の内部の底面上に２個のボタン型電池１３を直列に配置し、該ボタン型電池１３と接触する電極部材１４をプリント基板の底面に取り付ける。
【００２５】
前記スイッチ１１は、オルタネイト動作するもので、下方に突出したスイッチ端子１１ａ〜１１ｃをプリント基板１０の上面に実装し、また、スイッチ１１の頂部に有する押しボタン１１ｄが円筒状体１の上部に嵌め合わせたキャップ３の天蓋内面に接触している。
【００２６】
前記ＬＥＤ１２は、高輝度で白色の砲弾型発光ダイオードであって、脚部のアノード端子１２ａとカソード端子１２ｋをプリント基板１０の上面に実装し、ＬＥＤ１２の発光部の頭部を円筒状体１の上部周壁に穿設した小孔５に挿着する。
【００２７】
前記ボタン型電池１３は、１個あたりの定格出力電圧が１．５Ｖで、例えば直径７．９ミリメートル、厚み３．６ミリメートルのＬＲ４１やＳＲ４１等、直径１１．６ミリメートル、厚み５．４ミリメートルのＬＲ４４やＳＲ４４等のような小形なものが適し、２個が直列に重なった状態で正極側の端子片１４ａと負極側の端子片１４ｂとの間に挟持固定され、開閉蓋７を外して出し入れを行う。
【００２８】
前記プリント基板１０は、底面に正極側の端子片１４ａを実装し、該正極側の端子片１４ａをスイッチ端子１１ａまたはスイッチ端子１１ｃに配線し、スイッチ端子１１ｂをＬＥＤ１２のアノード端子１２ａに配線し、ＬＥＤ１２のカソード端子１２ｋをプリント基板１０の底面に実装した配線コード１４ｃを介して負極側の端子片１４ｂに配線する。
【００２９】
なお、必要であれば、スイッチ端子１１ｂとＬＥＤ１２のアノード端子１２ａとの間に、電流制限用の抵抗器を直列に入れて順方向電流を調整しても良い。
【００３０】
図３と図７において、照明付き留め具を壁面に固定してＬＥＤを点灯する方法について説明する。円筒状体１の底部の窪み８に埋設した永久磁石９で掲示物Ａを金属製の壁面Ｂに吸着し、ＬＥＤ１２の発光部の頭部が掲示物Ａの中心側に向く位置で円筒状体１を固定する。該円筒状体１の上部に嵌め合わせたキャップ３の天蓋を下方に押してスイッチ１１の押しボタン１１ｄを押し圧すると、スイッチ１１がオンとなってＬＥＤ１２が点灯し、該ＬＥＤ１２の出射光が壁面Ｂに固定された掲示物Ａを上方から照射する。
【実施例２】
【００３１】
図４と図７において、照明付き留め具を画鋲によって壁面に固定してＬＥＤを点灯する方法について説明する。T字状で頂部が平らな金属製の画鋲盤１５を壁面Ｂに刺して固定した後に、円筒状体１の底部の窪み８に埋設した永久磁石９で掲示物Ａを間に挟んで前記画鋲盤１５と着脱自在に磁力連結し、ＬＥＤ１２の発光部の頭部が掲示物Ａの中心側に向く位置で円筒状体１を固定する。該円筒状体１の上部に嵌め合わせたキャップ３の天蓋を下方に押してスイッチ１１の押しボタン１１ｄを押し圧すると、スイッチ１１がオンとなってＬＥＤ１２が点灯し、該ＬＥＤ１２の出射光が壁面Ｂに固定された掲示物Ａを上方から照射する。
【実施例３】
【００３２】
図５と図７において、照明付き留め具を吸盤によって壁面に固定してＬＥＤを点灯する方法について説明する。頂部に円形の金属板１６が埋め込まれた吸盤１７を壁面Ｂに吸着固定した後に、円筒状体１の底部の窪み８に埋設した永久磁石９で掲示物Ａを間に挟んで前記吸盤１７と着脱可能に磁力連結し、ＬＥＤ１２の発光部の頭部が掲示物Ａの中心側に向く位置で円筒状体１を固定する。該円筒状体１の上部に嵌め合わせたキャップ３の天蓋を下方に押してスイッチ１１の押しボタン１１ｄを押し圧すると、スイッチ１１がオンとなってＬＥＤ１２が点灯し、該ＬＥＤ１２の出射光が壁面Ｂに固定された掲示物Ａを上方から照射する。
【実施例４】
【００３３】
図６と図７において、照明付き留め具を両面テープによって壁面に固定してＬＥＤを点灯する方法について説明する。底面に両面テープ１８を設けた円盤状で金属製の両面テープ盤１９を壁面Ｂに貼着固定した後に、円筒状体１の底部の窪み８に埋設した永久磁石９で掲示物Ａを間に挟んで前記両面テープ盤１９と着脱可能に磁力連結し、ＬＥＤ１２の発光部の頭部が掲示物Ａの中心側に向く位置で円筒状体１を固定する。該円筒状体１の上部に嵌め合わせたキャップ３の天蓋を下方に押してスイッチ１１の押しボタン１１ｄを押し圧すると、スイッチ１１がオンとなってＬＥＤ１２が点灯し、該ＬＥＤ１２の出射光が壁面Ｂに固定された掲示物Ａを上方から照射する。
【符号の説明】
【００３４】
１    円筒状体
２    溝
３    キャップ
４    フランジ
５    小孔
６    開口部
７    開閉蓋
８    窪み
９    永久磁石
１０    プリント基板
１１    スイッチ
１１ａ〜１１ｃ    スイッチ端子
１１ｄ    押しボタン
１２    ＬＥＤ
１２ａ    アノード端子
１２ｋ    カソード端子
１３    ボタン型電池
１４    電極部材
１４ａ    正極側の端子片
１４ｂ    負極側の端子片
１４ｃ    配線コード
１５    画鋲盤
１６    金属板
１７    吸盤
１８    両面テープ
１９    両面テープ盤
【手続補正３】
【補正対象書類名】図面
【補正対象項目名】全図
【補正方法】変更
【補正の内容】
【図１】
2012047765.tif 000010
【図２】
2012047765.tif 000011
【図３】
2012047765.tif 000012
【図４】
2012047765.tif 000013
【図５】
2012047765.tif 000014
【図６】
2012047765.tif 000015
【図７】
2012047765.tif 000016